(57)【特許請求の範囲】
【請求項１】
振動板を振動させて前面から音を出力するスピーカをフロントドアの内側に設けている遊技機であって、
前記フロントドアの内側に前記スピーカを取り付ける台座を配置し、
該台座と前記スピーカとの間に、前記スピーカの前方から前記振動板に向かって異物が挿入されたか否かを検知する異物挿入検知手段を配置し、
前記異物挿入検知手段は、
前記台座に取り付けられ、前記スピーカの周囲を閉塞する支持部材と、
前記スピーカの前記振動板の前面を覆い、該スピーカに対して前後方向に移動自在となるように前記支持部材に支持されている移動板と、
前記支持部材に取り付けられ、前記移動板が前記スピーカに対して所定位置から前後方向に所定距離を超えて移動したか否かを検出する移動検出手段とを有し、
前記移動板は、前記スピーカから発生した音を通すとともに針金等の細長い異物を引っ掛けるメッシュ状の孔を多数有している
ことを特徴とする遊技機。
【発明の詳細な説明】
【技術分野】
【０００１】
本発明は、振動板を振動させて音を出力するスピーカを備えた遊技機に関する。
【背景技術】
【０００２】
スロットマシンやパチンコ機等の遊技機では、遊技中の演出効果を高めるための効果音や不正行為が行われたことを報知するための警報音が一般的に使われており、これらの音を発生するためのスピーカが遊技者に面するように取り付けられている。
【０００３】
このようなスピーカは、例えば特許文献１に記載されており、遊技機の前側の枠体を構成する前面枠の一方側の下端部裏面にコーン型形状の振動板が対向するようにして取り付けられたものが知られている。振動板に対向する前面枠には透孔が設けられ、透孔よりも前方側には透孔に連通する音逃し穴を備えた装飾カバーが前面枠に取り付けられている。このため、スピーカから発生した音は透孔及び音逃し穴を通って遊技機の前方側に座る遊技者に伝わるようになっている。
【０００４】
【特許文献１】実開昭６３−１９５８８５号公報
【発明の開示】
【発明が解決しようとする課題】
【０００５】
このようなスピーカを備えた遊技機では、外部から針金等の異物を音逃し穴から挿入すると、針金は音逃し穴及び透孔を通ってスピーカの振動板に到達して振動板を突き破ることが可能である。従って、振動板が突き破られると、スピーカから警報音が鳴らなくなったり、警報音の音色や音量が変化したりして、スピーカが警報手段としての機能を果たすことができなくなり、その後の遊技機に対する不正行為を許して公正な遊技の提供ができなくなる虞が生じる。
【０００６】
本発明は、このような問題に鑑みてなされたものであり、スピーカの振動板が突き破られてスピーカが警報手段としての機能を失い、その後の遊技機に対する不正行為を許す事態を防止可能な遊技機を提供することを目的とする。
【課題を解決するための手段】
【０００７】
このような課題を解決するため、本発明は、以下の特徴を有する。特徴の一つは、振動板を振動させて前面から音を出力するスピーカをフロントドアの内側に設けている遊技機であって、フロントドアの内側にスピーカを取り付ける台座を配置し、台座とスピーカとの間に、スピーカの前方から振動板に向かって異物が挿入されたか否かを検知する異物挿入検知手段を配置し、異物挿入検知手段は、前記台座に取り付けられ、前記スピーカの周囲を閉塞する支持部材と、スピーカの前記振動板の前面を覆い、スピーカに対して前後方向に移動自在となるように支持部材に支持されている移動板と、支持部材に取り付けられ、移動板がスピーカに対して所定位置から前後方向に所定距離を超えて移動したか否かを検出する移動検出手段とを有し、移動板は、スピーカから発生した音を通すとともに針金等の細長い異物を引っ掛けるメッシュ状の孔を多数有していることを特徴とする。
【０００８】
この特徴によれば、スピーカの振動板の前面を覆うように該スピーカの前方に前後方向に移動自在に支持された移動板と、移動板がスピーカに対して所定位置から前後方向に所定距離を超えて移動したか否かを検出する移動検出手段とを備える異物挿入検知手段を遊技機に設けることにより、スピーカの前方側から針金等の異物がスピーカに向かって遊技機内に挿入されると、異物の先端部が移動板に当たって移動板を所定位置からスピーカ側に移動させる。そして、移動板が所定位置から所定距離を超えて移動すると、移動検出手段によって移動板がスピーカに対して所定位置から所定距離を超えて移動したことが検出される。このため、針金等の異物の挿入によって振動板が突き破られてスピーカが音の出ない状態にされ、その後に遊技機に対して不正行為が行われようとしても、移動板が移動した時点で、異物の侵入が検出されるので、この検出信号をホールのホストコンピュータ等に送るようにしておくと、振動板の突き破り行為や遊技機に対する不正行為を未然に防止することができ、公正な遊技の提供をすることが可能になる。
【００１０】
また、この特徴によれば、異物挿入検知手段の移動板は、メッシュ状の孔を多数有していることにより、スピーカから発生した音は孔を通って外部に放出される。また針金等の細長い異物がスピーカ側に挿入されると、針金は孔に引っ掛かって回動板を移動させる。このため、スピーカから発生する音の音質や音量の低下を効果的に抑制することができるとともに、異物の侵入を確実に検出することができる。
【発明の効果】
【００１１】
本発明に係わる遊技機によれば、上記特徴を有することによって、スピーカの振動板が突き破られてスピーカが警報手段として機能を失い、その後の遊技機に対する不正行為を許す事態を防止可能な遊技機を提供することができる。
【発明を実施するための最良の形態】
【００１２】
以下、本発明に係わる遊技機の好ましい実施の形態を図１から図４に基づいて説明する。尚、本実施の形態は、遊技機の一例であるスロットマシンについて説明する。
【００１３】
スロットマシン１は、図１（斜視図），図２（フロントドア内部構造図），図３（筐体内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１４】
枠組み１３は、パネル部１１の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１５】
パネル部１１の上部には、演出用の上部ランプ１１ｄ、スピーカを備えた放音部４０，４０、液晶ディスプレイ等を有した演出表示装置１１ｅが配設されている。そして、パネル部１１の中間部には、透明な硬質プラスチック板で形成された略長方形状の透過窓ＷＤと演出用ランプ１１ｆ，１１ｇが設けられ、筐体６０内に設けられたリール装置６１のリールＲ１、Ｒ２、Ｒ３を、遊技者が透過窓ＷＤを介して見ることが可能となっている。
【００１６】
パネル部１１の中間部の下側には、遊技者が操作するための操作パネル部２３が設けられ、この操作パネル部２３には各種のボタン等（メダル投入部ＭＤ、ベットボタンＢ、スタートレバーＳＴ、ストップボタンＳＰ１，ＳＰ２，ＳＰ３）が設けられている。
【００１７】
操作パネル部２３の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２３の左端には、精算ボタンＭＲが設けられ、ゲームに賭けたメダルの払い出しを指示すると共に、メダルクレジット手段（図示せず）が内部保留したメダルの払い出しの指示が可能になっている。
【００１８】
パネル部１１の下部には、本スロットマシン１のゲーム内容を紹介等するための絵（図示せず）が描かれた下パネル２５が設けられ、下パネル２５の左右両側には演出用ランプ２６が設けられている。下パネル２５の下方には、遊技メダルを払い出すためのメダル払出口１１ｈ、メダル受皿１１ｉ、放音部４１が設けられている。
【００１９】
フロントドア１０の裏面側の上部には、前述した放音部４０，４０のスピーカ４２，４２が設けられ、これらのスピーカ４２，４２の間には前述した演出表示装置１１ｅが設けられている。演出表示装置１１ｅの下方には、透過窓ＷＤを形成する略長方形状の枠体１９が取り付けられており、この枠体１９の下方には、メダル投入部ＭＤより投入された投入物が正規の遊技メダルか否かを判別して振り分けるメダル選別装置Ｇ０と、メダル選別装置Ｇ０で振り分けられた遊技メダルを筐体６０側に設けられたホッパ装置ＨＰへ案内するガイド部材Ｇ１と、メダル選別装置Ｇ０で振り分けられたメダルをメダル払出口１１ｈへ案内するガイド部材Ｇ２と、ホッパ装置ＨＰから出力される払い出し用のメダルをメダル払出口１１ｈへ案内するガイド部材Ｇ３が設けられている。メダル払出口１１ｈの近傍には、前述した放音部４１のスピーカ４３が取り付けられている。
【００２０】
枠体１９とメダル選別装置Ｇ０との間には、長尺状の電気回路基板で形成された中央表示基板２２が取り付けられ、この中央表示基板２２には、前述した操作パネル部２３に設けられているベットボタンＢと、スタートレバーＳＴと、ストップボタンＳＰ１，ＳＰ２，ＳＰ３等が電気的に配線接続されている。これらベットボタンＢ，スタートレバーＳＴ，ストップボタンＳＰ１，ＳＰ２，ＳＰ３の出力信号はハーネスを介して筐体６０に設けられた主制御基板２４に転送される。
【００２１】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵ内には電源装置基板２７が設けられている。リール装置６１の上端には回胴装置基板２９が取り付けられ、リール装置６１の上方には前述した主制御基板２４が取り付けられている。主制御基板２４は、不正行為を防止するための基板ケース３０内に収容されている。
【００２２】
主制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２７、回胴装置基板２９及び後述するサブ制御基板３２に所定の指令を行って夫々に分散制御を行わせることにより、本スロットマシン１全体を集中制御する。また主制御基板２４は、スロットマシン１に対して不正行為が行われたことを確認し、サブ制御基板３２を制御して放音部４１から警報音を出力させるように構成されている。なお、警報音は放音部４０，４０，４１の少なくともいずれかから出力されるようにしてもよい。この場合、主制御基板２４は、警報音を出力する放音部４０，４１に設けた後述する移動検出器によって放音部４０，４１に向かって針金等の異物が挿入されたことが検知されると、この検知信号をホールのホストコンピュータに知らせる機能を有している。
【００２３】
演出表示装置１１ｅの裏面側には、電気回路基板で形成されたサブ制御基板３２が設けられている。このサブ制御基板３２は、演出表示装置１１ｅによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板３２は、主制御基板２４からの制御信号に従って、上部ランプ１１ｄ，演出用ランプ１１ｆ，１１ｇ，２６とスピーカ４２，４３を駆動して遊技者の視覚及び聴覚に訴える演出を行い、また演出表示装置１１ｅを制御して遊技内容に応じた演出表示を行わせ、さらにスロットマシン１に対して不正行為が行われたときにスピーカ４３から警報音を出力させる。
【００２４】
このサブ制御基板３２は、不正行為を防止するための基板ケース３３内に収容されており、この基板ケース３３ごと一体として演出表示装置１１ｅの裏面側に着脱可能に取り付けられている。
【００２５】
放音部４１のスピーカ４３は、図４（分解斜視図）に示すように、フレーム４４内にコーン型形状の振動板４５を設けてなり、スピーカ４３内に設けられたボイスコイルに電気信号が流れると、この電気信号を音波に変換するように構成されている。フレーム４４の前端部には外側へ突出する取り付け用のフランジ４４ａが設けられ、このフランジ４４ａの隅部にはねじ止めするための孔４４ｂが設けられている。
【００２６】
スピーカ４３は、その前面が異物挿入検知装置５０を介してパネル部１１の下部に設けられた音逃し穴１１ｊに対向配置され、スピーカ４３の後部に装着されるカバー４６に挿入された図示しないボルトによってスピーカ４３がパネル部１１に固定される。音逃し穴１１ｊの裏側のパネル部１１には、スピーカ４３や異物挿入検知装置５０を固定するための台座部４７が設けられている。台座部４７は、音逃し穴１１ｊを囲んで後方側へ突出する方形状の枠体４７ａと、枠体４７ａの内側に設けられて音逃し穴１１ｊを囲んで後方側へ突出する円筒状の突出部４７ｂと、枠体４７ａの内側四隅に設けられて前後方向に延びるねじ止め用の孔４７ｃとを有してなる。
【００２７】
異物挿入検知装置５０は、音逃し穴１１ｊからスピーカ４３の振動板４５に向かって針金等の異物が挿入されたか否かを検知する機能を有し、内部に移動孔５１ｂを有した支持部材５１と、移動孔５１ｂに沿って移動可能な移動部材５４と、移動部材５４が移動孔５１ａの所定位置から前後方向に所定距離を超えて移動したか否かを検出する移動検出器５７とを有してなる。
【００２８】
支持部材５１は、パネル部１１に形成された枠体４７ａと略同形を有した支持枠体５１ａと、支持枠体５１ａの内側に設けられて前述した移動孔５１ｂを形成する筒体５１ｃと、移動枠体５１ｂの内側四隅に設けられてボルトを挿通可能な挿通穴５１ｄとを有してなる。支持部材５１は、台座部４７とスピーカ４３との間に挟持されると、台座部４７の枠体４７ａと支持部材５１の支持枠体５１ａとが接触して連通するとともに、台座部４７の突出部４７ｂと支持部材５１の筒体５１ｃとが接触して突出部４７ｂ内の空間部と移動孔５１ｂとが連通し、さらに支持部材５１の挿通孔５１ｄが対応する台座部４７の孔４７ｃ及びスピーカ４３のフランジ４４ａの孔４４ｂに連通するように構成されている。このため、スピーカ４３の後部に装着されたカバー４６にボルトを挿入し、このボルトをスピーカ４３、支持部材５１に挿通して台座部４７の孔４７ｃに螺合すると、スピーカ４３を台座部４７に固定することができる。
【００２９】
移動部材５４は、移動孔５１ｃより小径を有して円板状に形成された本体部５４ａと、本体部５４ａの外周に取り付けられて移動孔５１ｃの内面に沿って接する環状の摺接板５４ｂとを有し、摺接板５４ｂが移動孔５１ｂに前後方向に移動可能に嵌合して、移動部材５４は支持部材５１に対して移動可能である。移動部材５４の本体部５４ａには、スピーカ４３から発生した音を通すとともに針金等の細長い異物を引っ掛けるメッシュ状の孔５４ｃが多数設けられている。この孔５４ｃの大きさは、スピーカ４３の振動板４５を突き破ることが可能な径を有した針金の径と略同一径又はそれより小径である。このため、移動部材５４の前方からスピーカ４３に向かって振動板４５を突き破ることが可能な針金がスロットマシン１内に挿入されると、針金の先端部は移動部材５４の孔５４ｃに引っ掛かり、針金がスピーカ側へさらに挿入されると、移動部材５４は付勢されて支持部材５１に対して移動する。
【００３０】
このように構成された移動部材５４を移動可能に支持する支持部材５１に移動検出器５７が取り付けられている。移動検出器５７は、支持部材５１に取り付けられて移動部材５４が所定位置（例えば、移動孔５１ｂの前後方向の中間位置）から移動した移動量を検出し、この移動量が所定距離を超えて移動したことを検知するとスピーカ４３に向かって針金等の異物が挿入された旨の検知信号を前述した主制御基板２４に送る機能を有している。
【００３１】
なお、移動検出器５７は、所定距離の調整を任意に変更可能に構成されており、この所定距離を設定することで、移動部材５４が振動等によって移動して針金等の異物が挿入された旨の誤検知がされる事態を未然に防止することができる。また移動部材５４が所定位置に自動的に復帰できるように、ばね部材（図示せず）を介して移動部材５４を支持部材５１の筒体５１ｃ内に設けてもよい。
【００３２】
このように、スピーカ４３の前方に異物挿入検知装置５０を設けることにより、針金等の細長い異物が前述した音逃し穴１１ｊから挿入されると、針金は移動部材５４に当たって移動部材５４の孔５４ｃに引っ掛かり、さらなる針金の挿入によって移動部材５４が移動すると、移動検出器５７によって移動部材５４の所定位置からの移動距離が検出される。そして、移動部材５４の移動距離が所定距離を超えると、移動検出器５７は、スピーカ４３に向かって針金等の異物が挿入された旨の検知信号を前述した主制御基板２４に送る。そして、主制御基板２４は、この検知信号を受け取ると、スピーカ４３の前方に異物が挿入されたことを、ホールのホストコンピュータに知らせる。
【００３３】
このため、針金等の異物の挿入によってスピーカ４３の振動板４５が突き破られてスピーカ４３が音の出ない状態にされ、その後に主制御基板２４，サブ制御基板３２，電源装置基板２７等に対して不正行為が行われようとしても、移動部材５４が移動した時点で、スピーカ４３の前方に異物が挿入されたことがホールのホストコンピュータに知らされるので、その後の主制御基板２４等に対する不正行為を未然に防止することができ、公正な遊技の提供をすることが可能である。
【００３４】
なお、前述した実施例では、スロットマシン１を例にしたが、パチンコやゲームセンタで用いられているゲーム機などを対象にしてもよい。
【図面の簡単な説明】
【００３５】
【図１】本発明の一実施の形態に係わるスロットマシンの斜視図を示す。
【図２】このスロットマシンのフロントドアを開けた状態におけるフロントドアの内部構造図を示す。
【図３】このスロットマシンのフロントドアを開けた状態における筐体の内部構造図を示す。
【図４】本発明の一実施の形態に係わるスロットマシンのスピーカの前方に配設された異物挿入検知装置の斜視図を示す。
【符号の説明】
【００３６】
１  スロットマシン（遊技機）
４３  スピーカ
４５  振動板
５０  異物挿入検知装置（異物挿入検知手段）
５４  移動部材（移動板）
５４ｃ  孔
５７  移動検出器（移動検出手段）
【図１】
0004942111.tif 000002
【図２】
0004942111.tif 000003
【図３】
0004942111.tif 000004
【図４】
0004942111.tif 000005